(57)【要約】【課題】爆薬（弾）等の危険物を仕掛けられるのを防止できる安全標識用コーンを提供する。【解決手段】円錐状筒体１１の下端に台板部１２を設けたコーン本体１と、前記筒体１１の略上半部側を被覆させて設けた反射カバー２とを備え、前記コーン本体１は内部を透視できるように、透明又は半透明性のプラスチックで構成する。反射カバー２は基材シート２２に再帰反射性フィルムシート材２３を重合して溶着した再帰反射性シート材で構成する。【選択図】図１
0003108140.tif 000002
【実用新案登録請求の範囲】
【請求項１】
円錐状筒体の下端に台板部を設けたコーン本体と、前記円錐状筒体の略上半部側を被覆させて設けた反射カバーとを備え、
前記コーン本体は内部を透視できるように、透明又は半透明性のプラスチックで構成され、
前記反射カバーは再帰反射性フィルムシート材を含んで構成されていることを特徴とする、
安全標識用コーン。
【請求項２】
前記反射カバーは、前記円錐状筒体の上端部近くから前記筒体の高さの約１／２ないし約２／３程度の部位にわたって被覆されていることを特徴とする、請求項１に記載の安全標識用コーン。
【請求項３】
前記反射カバーは、再帰反射性フィルムシート材により、白色系反射部と赤色系反射部とを備えて構成されていることを特徴とする、請求項１又は２に記載の安全標識用コーン。
【考案の詳細な説明】
【技術分野】
【０００１】
本考案は路上の工事現場や事故現場等に起立して設置され、車両の交通規制その他の安全標識等として使用する安全標識用コーンに関する。
【背景技術】
【０００２】
従来、この種安全標識用コーンとして、赤色等に着色したもの（カラーコーンと称されている）が一般に知られている。また、他の従来例として、前記カラーコーンの円錐状筒体の外周面に、帯状等に形成した再帰反射性フィルムシートを接着したものもある。
【０００３】
ところで、近時においては、特に外国で爆薬（弾）等を用いたテロ事件が多発している。また、我が国においてもテロ事件が発生する恐れが充分にあるといわれている。
爆薬等は建造物の内部は勿論、建造物の外部の各種の設置物等にも仕掛けられる。そのため、例えば、路上に設置してある安全標識用コーンの内部にも爆薬等を仕掛けられる危険性がある。
【０００４】
しかるに、従来の安全標識用コーンは上述したように、赤色等で全体的に着色されているため、円錐状筒体内を外部から透視することができない。したがって、従来の安全標識用コーンは、内部に爆薬（弾）等の危険物を仕掛けられる恐れがあると共に、前記コーン内に爆薬等の危険物を仕掛けられた場合、外部からは見えないため、確認作業に手間が掛かる問題を有している。
【考案の開示】
【考案が解決しようとする課題】
【０００５】
本考案は上記のような実情に鑑み、安全標識用コーンを標的とされ、内部に爆薬（弾）等の危険物を仕掛けられた場合、外部から容易に確認できるようにし、もって、爆薬（弾）等を仕掛けられるのを防止した安全標識用コーンを提供することを目的とするものである。
【課題を解決するための手段】
【０００６】
上記目的を達成するため、本考案は、円錐状筒体の下端に台板部を設けたコーン本体と、前記円錐状筒体の略上半部側を被覆させて設けた反射カバーとを備え、前記コーン本体は内部を透視できるように、透明又は半透明性のプラスチックで構成され、前記反射カバーは再帰反射性フィルムシート材を含んで構成されていることを特徴とする。
【０００７】
本考案において、前記反射カバーは、前記円錐状筒体の上端部近くから前記筒体の高さの約１／２ないし約２／３程度の部位にわたって被覆する構成を採用することができる。
また、本考案において、前記反射カバーは、再帰反射性フィルムシート材により、白色系反射部と赤色系反射部とを備えた構成を採用することができる。
【考案の効果】
【０００８】
本考案によれば、円錐状筒体の下半部側（反射カバーが被覆されていない部位）は、前記筒体の内部を外部から透視できるので、コーン内に爆薬（弾）等を仕掛けられている場合、外部から容易に確認することができる。したがって、犯人側においては都合が悪くなるので、安全標識用コーン内に爆薬（弾）等の危険物を仕掛けられるのを防止することができる。
【考案を実施するための最良の形態】
【０００９】
以下、図面を参照して、本考案の実施の形態の一例を説明する。
【００１０】
図１は本考案の安全標識用コーンの一実施の形態を示すものであって、同図（ａ）は縦断面図、同図（ｂ）は同図（ａ）のＡ−Ａ線拡大断面図、図２は同上安全標識用コーンを分解して示す説明図、図３は反射カバーの一部を拡大して示す縦断面図、図４は作用説明図である。
【００１１】
上記図１ないし図４において、この実施の形態の安全標識用コーンは、コーン本体１と、このコーン本体１の所定部を被覆して設けられる反射カバー２とからなっている。
【００１２】
前記コーン本体１は、円錐状筒体１１と、この筒体１１の下端に設けられ、筒体１１を安定して立設する台板部１２とからなっている。前記筒体１１及び台板部１２は透明又は半透明性の硬質のプラスチックで一体成型されている。これにより、前記筒体１１の内部は外部から透視できるように構成されている。
【００１３】
前記反射カバー２は前記筒体１１の略上半部側を被覆させて設けてある。この実施の形態の反射カバー２は、塩化ビニル等の基材シート２２に再帰反射性フィルムシート材２３を重合して高周波ウェルダー等により加工処理して両者２２，２３を溶着した再帰反射性シート材２１で、前記筒体１１の略上半部に対応した円錐状に形成されている。
この実施の形態の反射カバー２は、上下端を開口し、前記筒体１１の上端近くから筒体の高さの約２／３程度の部位を被覆する大きさの円錐筒状に形成したものが開示されている。
【００１４】
そして、反射カバー２を前記筒体１１に被冠して筒体１１の外側面を被覆させてある。なお、反射カバー２は、これを筒体１１に被冠すると、筒体１１の外側面に密着して固定されるが、所望に応じて接着剤によりカバー２の適当箇所を筒体１１に接着してもよい。
上記構成により、前記筒体１１の下半部側、即ち、反射カバー２で被覆されていない部位３０（図４参照）は、筒体１１の内部を外部から透視できるようになっている。
【００１５】
前記再帰反射性フィルムシート材２３としては、無着色のもの（一般に白色と称している）と黄色やオレンジに近い赤形の色で着色したものとがあり、これらは一般に市販されている（例えば商品名、リフレクサイト、登録商標）。
【００１６】
前記再帰反射性フィルムシート材２３は白色（無着色）をベースとして構成され、また、着色再帰反射性フィルムシート材は白色のベース原料に着色剤等を混合して製造されている。そのため、反射輝度において白色（無着色）の方が着色したものより優れている。特に夜間においては両者の差は明確になる。つまり、白色のものは反射輝度が強いため視認性が良好であるが、着色したものは白色のものと比べ反射輝度が弱いため、視認性が低下する。
【００１７】
一方、前記したように、白色は夜間においては視認性が良好であるが、昼の時間帯などにおいては視認性が着色のものに比べ悪くなる。この点、着色したものは昼の時間帯においては白色のものに比べ視認性がよい。
【００１８】
この実施の形態では再帰反射性フィルムシート材２３として、白色再帰反射性フィルムシート材を採用している。そして、前記シート材２３の表面に透明の赤インク（染料等）を図において左右方向に所望の巾、かつ、上下方向に適当な間隔を存して印刷し、白色と赤色で縞模様状に形成してある。これにより、反射シートには、白色系反射部２４と赤色系反射部２５とが横縞状に形成されている。
【００１９】
上記構成を採用すると、昼間の時間帯においては、赤色系反射部２５の部分が視認性が良くなり、また、夜間においては白色系反射部２４が強い反射光を発するので視認性が良くなる。したがって、実施の形態の安全標識用コーンによれば、昼夜を問わずに視認性を向上させることができる。
なお、この場合、上述した赤インクに代え、白色再帰反射性フィルムシート材の表面に赤色系の着色再帰反射性フィルムシート材を適当な巾の帯状に形成したものを貼着する構成を採用することもできる。図４において、３１は人間の目、３２は爆薬（弾）等の危険物を示す。
【００２０】
実施の形態の安全標識用コーンは上記のように構成したもので、従来の安全標識用コーンと同様に使用するものである。そして、この実施の形態の安全標識用コーンの円錐状筒体１１の下半部側（反射カバー２が被覆されていない部位３０）は、筒体１１の内部を外部から透視できるので、図４に示すように、コーン内に爆薬（弾）３２等を仕掛けられている場合、外部から容易に発見（確認）することができる。
【００２１】
なお、上記した実施の形態は一例として開示したもので、本考案は上記の実施の形態に限定されるものではなく、実用新案登録請求の範囲に記載の技術思想を越脱しない範囲内において任意に変更可能なものである。
【図面の簡単な説明】
【００２２】
【図１】本考案の安全標識用コーンの一実施の形態を示すもので、同図（ａ）は縦断面図、同図（ｂ）は同図（ａ）のＡ−Ａ線端面図である。
【図２】同上安全標識用コーンを分解して示す説明図である。
【図３】反射カバーの一部を拡大して示す縦断面図である。
【図４】同上安全標識用コーンの作用説明図である。
【符号の説明】
【００２３】
１    コーン本体
２    反射カバー
１１  円錐状筒体
１２  台板部
２２  基材シート
２３  再帰反射性フィルムシート材
【図１】
0003108140.tif 000003
【図２】
0003108140.tif 000004
【図３】
0003108140.tif 000005
【図４】
0003108140.tif 000006